(57)【要約】【課題】液材料を竪方向のチューブの内壁面に、中空のパイプ状に凍結させ、これを真空下で凍結乾燥させる凍結乾燥手段において、チューブ内に供給した液材料を、チューブの内壁面に中空のパイプ状に凍結させるのが、凍結行程の終了時に未凍のまま残す未凍液の量を、極く少なくして行えるようにする。【解決手段】液材料をスプレーノズルｄにより竪型チューブ１の内壁面１０に対し散布してチューブ状の凍結層に凍結させ、未凍のまま流下する液材料を、竪型チューブ１の下端に接続する管路ｋの液溜部Ｌに集めて回収ラインｅにより他方のタンクに回収させ、一方のタンク内の液材料が空になったところで、第１・第２のタンクａ・ｂの給液ラインｃおよび回収ラインｅに対する接続を入れ換えて、スプレーノズルｄからの液材料のスプレーと未凍液の回収を行い、これの繰り返しにより、竪型チューブ１の内壁面に液材料を中空パイプ状に凍結させる。【選択図】        図３
2004330130.tif 000002
【特許請求の範囲】
【請求項１】
液状の被乾燥材料を、竪型チューブ１に供給してそれの内壁面１０に中空パイプ状に凍結させ、これを真空下において凍結乾燥させる凍結乾燥手段において、竪型チューブ１に対して供給する液材料を一時貯溜しておくタンクに、少なくとも第１タンクａと第２タンクｂとの２つ以上の複数を用意し、それらタンクａ・ｂを、竪型チューブ１の上方乃至内腔に配設するスプレーノズルｄに接続する給液ラインｃに対し交互に切り替わって連通するよう接続し、竪型チューブ１の下端側に接続する管路ｋには、竪型チューブ１内を流過する液材料を回収する回収ラインｅの上流側を接続連通し、その回収ラインｅの下流側を、前記第１・第２のタンクａ・ｂに対し交互に切り替わって連通するよう接続しておき、前記第１・第２のタンクａ・ｂの一方に液材料の所定量を注入して、その液材料を給液ラインｃを介しスプレーノズルｄに送給し、そのスプレーノズルｄにより竪型チューブ１の内壁面１０に対し散布してチューブ状の凍結層に凍結させ、未凍のまま流下する液材料を、竪型チューブ１の下端に接続する管路ｋの液溜部Ｌに集めて回収ラインｅにより他方のタンクに回収させ、一方のタンク内の液材料が空になったところで、第１・第２のタンクａ・ｂの給液ラインｃおよび回収ラインｅに対する接続を入れ換えて、スプレーノズルｄからの液材料のスプレーと未凍液の回収を行い、これの繰り返しにより、竪型チューブ１の内壁面に液材料を中空パイプ状に凍結させることを特徴とする凍結乾燥装置の竪型チューブの内壁面に対する液材料の凍結方法。
【請求項２】
外周を不凍熱媒流体が循環するジャケット囲い内壁面１０を液状の被乾燥材料の凍結面とするとともに凍結した被乾燥材料に対し昇華熱を供給する加熱面とする竪型チューブ１と、その竪型チューブ１の上方に接続する気密室１ａと、トラップｉを収蔵して前記気密室１ａに設けた真空引口ｆにバルブｈを介して接続するトラップ室ｇと、調整した液材料を貯溜させる少なくとも２つ以上のタンクａ・ｂと、竪型チューブ１の上方乃至内腔に配設する液材料スプレー用のスプレーノズルｄと、タンクａ・ｂ内の液材料をスプレーノズルｄに導く給液ラインｃと、スプレーノズルｄから散布されて竪型チューブ１内を流下する液材料の未凍部を回収して前記タンクａ・ｂに送給する回収ラインｅと、給液ラインｃをタンクａ・ｂに対し交互に接続する状態に切り替える切替バルブｖ１と、回収ラインｅをタンクａ・ｂに対し交互に接続す状態とに切り替える切替バルブｖ２と、からなり、切替バルブｖ１・ｖ２は、給液ラインｃを一方のタンクａに接続させたときに、回収ラインｅが他方のタンクｂと接続する状態となるように制御せしめてあることを特徴とする凍結乾燥装置。
【請求項３】
竪型チューブ１の上方の気密室１ａまたは竪型チューブ１の下端側の管路ｋに加圧空気を吐出するチューブ加圧弁ｖ１３を設けて、竪型チューブ１の内腔およびその下方に接続する管路ｋ内を加圧し、タンクａ・ｂにはベント弁ｖ１４を設けて、回収ラインｅに接続させた側のタンク内を大気に開放させ、竪型チューブ１内を流過して管路ｋに流下してくる未凍の液材料を、竪型チューブ１および管路ｋ内に与えるエアーの圧力により、回収ラインｅでタンクａ・ｂのうちの一方のタンクに向け圧送することを特徴とする請求項２記載の凍結乾燥装置。
【請求項４】
竪型チューブ１の下端側に接続する管路ｋに、略水平な液溜部Ｌの上流側を接続して設け、その液溜部Ｌの下流側に回収ラインｅを接続したことを特徴とする請求項２または請求項３記載の凍結乾燥装置。
【請求項５】
竪型チューブ１の下端側に接続する管路ｋに流下してくる未凍の液材料を竪型チューブ１内のエアーの圧力によりタンクａ・ｂのうちの一方のタンクに向け圧送する回収ラインｅを、大径の回収ラインｅ１と小径の回収ラインｅ２とに分け、竪型チューブ１内のエアーの圧力の低下により大径の回収ラインｅ１に設けたバルブｖ９を閉じて小径の回収ラインｅ２により未凍液を圧送させることを特徴とする請求項２または請求項３記載の凍結乾燥装置。
【請求項６】
タンクａ・ｂ内に、側枝状のエアー吐出管９１を設けた泡立ち防止管９を配設し、それのタンクａ・ｂから上方に突出する上端側に回収ラインｅの下流側を接続せしめることを特徴とする請求項２または請求項３記載の凍結乾燥装置。
【発明の詳細な説明】
【０００１】
【発明が属する技術分野】
本発明は、原材料から調整した薬液等の液状の被乾燥材料を、外周面が不凍熱媒流体により加熱と冷却が可能となっている竪方向のチューブの内壁面に、所定厚さの凍結層に凍結させ、その凍結層を真空下において、昇華熱の供給により凍結乾燥させる凍結乾燥手段において、液状の被乾燥材料を、チューブの内壁面に凍結層として凍結させる凍結手段に関する。
【０００２】
【従来の技術】
液状の被乾燥材料を、竪方向のチューブの内壁面に凍結層として凍結させ、それを真空下において凍結乾燥させる凍結乾燥手段において、液状の被乾燥材料のチューブの内壁面に対する凍結は、従前にあっては、例えば、特公平６−３５９１１号公報にある手段より行われている。
【０００３】
この手段は、図１・および図２にあるように、被凍結乾燥材料に熱を供給する加熱面を兼ねる冷却面を、竪型チューブ１の内壁面１０により構成し、これを収容する乾燥室の隔壁を竪型筒状体２の筒壁２０により形成し、竪型チューブ１の内壁面１０に凍結させた被乾燥材料から昇華させる水蒸気を捕集して真空に保つトラップ（蒸気凝結器）３０を、前記乾燥室を形成する竪型筒状体２の筒壁２０の外周に配設し、そのトラップ３０の外周を、外筒状の機壁４で囲い、その機壁４と前記乾燥室の隔壁を形成する竪型筒状体２の筒壁２０との間をトラップ室３に形成し、それの竪型筒状体２の筒壁２０の内周面と竪型チューブ１の外周面との間の空間に、不凍熱媒流体を循環させて、竪型チューブ１の内壁面１０の冷却面の加熱と冷却とを可能として、竪型チューブ１の内壁面１０に凍結させる被乾燥材料を真空下において凍結乾燥させる形態の真空凍結乾燥装置Ａに構成する。
【０００４】
そして、これの竪型チューブ１の内周面１０に対し被乾燥材料を凍結層として凍結させるのは、図１にあるように、竪型チューブ１の底面側の開口を、ヒンジ５０中心に開閉回動する扉５の上面側との間に、液状に調整した被乾燥材料の流路５１を形成して、この流路５１に連通させておき、この流路５１に供給管１１から液状の被乾燥材料を供給して、竪型チューブ１の内腔に押し上げ、それのレベルが竪型チューブ１の上端側の開口近くになったところで、被乾燥材料の供給を停める。
【０００５】
この状態で、竪型筒状体２の内周面２０と竪型チューブ１の外周面との間に、ブラインノズル２１から送給して排出管２２から排出させる不凍熱媒流体の循環による冷却で、この液状の被乾燥材料を竪型チューブ１の内壁面１０に凍結させる。
【０００６】
これによる被乾燥材料の竪型チューブ１の内壁面に凍結する凍結層の厚さが所定の厚さに達したところで、凍結の行程を止め、未凍の被乾燥材料を供給管１１から抜き出し、竪型チューブ１内に所定の厚さの凍結層が中空のパイプ状に残る状態として、凍結行程を終了させる。
【０００７】
次いで、乾燥行程に移行させ、中空パイプ状の凍結層に凍結した被乾燥材料の内面から水蒸気を昇華させて乾燥させるようにしている。
【０００８】
【発明が解決しようとする課題】
上述の、竪型チューブ１内に液状の被乾燥材料を押し上げるように、所定のレベルまで張り込んで、それを竪型チューブ１の内壁面１０に凍結させ、その凍結層が所定の厚さになったところで、未凍液を落として、竪型チューブ１の内壁面１０に、中空パイプ状に液材料を凍結させる手段には、液材料を凍結させたときに抜き出す未凍液がかなりの量となることで、この抜き出して廃棄することになる未凍液による損失が大きい問題がある。
【０００９】
この液材料を竪型チューブ１内面に凍結させた後に抜き出す未凍液の量の、竪型チューブ１内に供給する液材料の量に対する割合は、竪型チューブ１を直径８５ミリとし、これに１０数ミリの厚さに液材料を凍結させる場合でいえば、殆ど３分の２に近い量となる。
【００１０】
この抜き出す未凍液の量は、竪型チューブ１の内周面に凍結させる液材料の凍結層の厚さを厚くすることで少なくし得るが、竪型チューブ１内面に凍結させる液材料を、中空のパイプ状に形成するのは、乾燥行程時にそれの内周面を水蒸気の昇華面とするためであり、凍結層からの昇華が、効率よく、かつ、凍結層の各部位から均一に行われるようにするには、中空のパイプ状に竪型チューブ１の内壁面１０に凍結させる液材料の凍結層の中心穴の径を、凍結層の厚さに対し充分に広くしなければならないので、液材料を凍結させた後に抜き出す未凍液の量は、竪型チューブ１内に供給する液材料の全量に対してかなりの量となる。
【００１１】
真空乾燥装置が多連に並設してあって、第１位の装置で抜き出した未凍液を、第２位の装置に供給することで、損失にならないようにはなるが、最後位の装置において抜き出した未凍液は、凍結させるべき竪型チューブ１がないことで、使用できない。そして、液材料が薬液のように、液材料に調整した後の品質変化などで保存期間に制約がある場合には、廃棄するより他はなく、凍結乾燥により製造する製品には、例えば耳かき一杯で数十万円もするものがあるので、この凍結させ得ないで廃棄することになる未凍液の量を少なくすることは、大きな問題となる。
【００１２】
本発明は、この問題を解消するためになされたものであって、液材料を竪方向のチューブの内壁面に、中空のパイプ状に凍結させ、これを真空下において昇華熱の供給により、凍結乾燥させる凍結乾燥手段において、チューブ内に供給した液材料を、チューブの内壁面に中空のパイプ状に凍結させるのが、凍結行程の終了時に未凍のまま残す未凍液の量を、極く少なくして行えるようにする手段を提供することを目的とする。
【００１３】
【課題を解決するための手段】
そして、本発明は、この目的を達成するための手段として、請求項１に記載した、液状の被乾燥材料を、竪型チューブ１に供給してそれの内壁面１０に中空パイプ状に凍結させ、これを真空下において凍結乾燥させる凍結乾燥手段において、竪型チューブ１に対して供給する液材料を一時貯溜しておくタンクに、少なくとも第１タンクａと第２タンクｂとの２つ以上の複数を用意し、それらタンクａ・ｂを、竪型チューブ１の上方乃至内腔に配設するスプレーノズルｄに接続する給液ラインｃに対し交互に切り替わって連通するよう接続し、竪型チューブ１の下端側に接続する管路ｋには、竪型チューブ１内を流過する液材料を回収する回収ラインｅの上流側を接続連通し、その回収ラインｅの下流側を、前記第１・第２のタンクａ・ｂに対し交互に切り替わって連通するよう接続しておき、前記第１・第２のタンクａ・ｂの一方に液材料の所定量を注入して、その液材料を給液ラインｃを介しスプレーノズルｄに送給し、そのスプレーノズルｄにより竪型チューブ１の内壁面１０に対し散布してチューブ状の凍結層に凍結させ、未凍のまま流下する液材料を、竪型チューブ１の下端に接続する管路ｋの液溜部Ｌに集めて回収ラインｅにより他方のタンクに回収させ、一方のタンク内の液材料が空になったところで、第１・第２のタンクａ・ｂの給液ラインｃおよび回収ラインｅに対する接続を入れ換えて、スプレーノズルｄからの液材料のスプレーと未凍液の回収を行い、これの繰り返しにより、竪型チューブ１の内壁面に液材料を中空パイプ状に凍結させることを特徴とする凍結乾燥装置の竪型チューブの内壁面に対する液材料の凍結方法を提起するものである。
【００１４】
また、これに併せて、請求項２に記載した、外周を不凍熱媒流体が循環するジャケット囲い内壁面１０を液状の被乾燥材料の凍結面とするとともに凍結した被乾燥材料に対し昇華熱を供給する加熱面とする竪型チューブ１と、その竪型チューブ１の上方に接続する気密室１ａと、トラップｉを収蔵して前記気密室１ａに設けた真空引口ｆにバルブｈを介して接続するトラップ室ｇと、調整した液材料を貯溜させる少なくとも２つ以上のタンクａ・ｂと、竪型チューブ１の上方乃至内腔に配設する液材料スプレー用のスプレーノズルｄと、タンクａ・ｂ内の液材料をスプレーノズルｄに導く給液ラインｃと、スプレーノズルｄから散布されて竪型チューブ１内を流下する液材料の未凍部を回収して前記タンクａ・ｂに送給する回収ラインｅと、給液ラインｃをタンクａ・ｂに対し交互に接続する状態に切り替える切替バルブｖ１と、回収ラインｅをタンクａ・ｂに対し交互に接続す状態とに切り替える切替バルブｖ２と、からなり、切替バルブｖ１・ｖ２は、給液ラインｃを一方のタンクａに接続させたときに、回収ラインｅが他方のタンクｂと接続する状態となるように制御せしめてあることを特徴とする凍結乾燥装置を提起し、
【００１５】
さらに、請求項３に記載の、竪型チューブ１の上方の気密室１ａまたは竪型チューブ１の下端側の管路ｋに加圧空気を吐出するチューブ加圧弁ｖ１３を設けて、竪型チューブ１の内腔およびその下方に接続する管路ｋ内を加圧し、タンクａ・ｂにはベント弁ｖ１４を設けて、回収ラインｅに接続させた側のタンク内を大気に開放させ、竪型チューブ１内を流過して管路ｋに流下してくる未凍の液材料を、竪型チューブ１および管路ｋ内に与えるエアーの圧力により、回収ラインｅでタンクａ・ｂのうちの一方のタンクに向け圧送することを特徴とする請求項２記載の凍結乾燥装置、
【００１６】
および請求項４に記載の、竪型チューブ１の下端側に接続する管路ｋに、略水平な液溜部Ｌの上流側を接続して設け、その液溜部Ｌの下流側に回収ラインｅを接続したことを特徴とする請求項２または請求項３記載の凍結乾燥装置、
【００１７】
および請求項５に記載の、竪型チューブ１の下端側に接続する管路ｋに流下してくる未凍の液材料を竪型チューブ１内のエアーの圧力によりタンクａ・ｂのうちの一方のタンクに向け圧送する回収ラインｅを、大径の回収ラインｅ１と小径の回収ラインｅ２とに分け、竪型チューブ１内のエアーの圧力の低下により大径の回収ラインｅ１に設けたバルブｖ９を閉じて小径の回収ラインｅ２により未凍液を圧送させることを特徴とする請求項２または請求項３記載の凍結乾燥装置、
【００１８】
ならびに請求項６記載の、タンクａ・ｂ内に、側枝状のエアー吐出管９１を設けた泡立ち防止管９を配設し、それのタンクａ・ｂから上方に突出する上端側に回収ラインｅの下流側を接続せしめることを特徴とする請求項２または請求項３記載の凍結乾燥装置を提起するものである。
【００１９】
【発明の実施の形態】
次に本発明手段の実施の態様を、図面に随い実施例について説明する。
図３は本発明手段を実施せる凍結乾燥装置の全体の展開図で、同図において、１は、内壁面１０に液材料を中空のパイプ状に凍結させる竪型チューブ、１ａは竪型チューブ１の上方に接続する気密室、ａはその竪型チューブ１に対して供給する液材料を一時貯溜させておく第１タンク、ｂはこれに並設しておく第２タンク、ｃは、第１タンクａおよび第２タンクｂから液材料を竪型チューブ１に導く給液ライン、ｄはその給液ラインｃで導かれれる液材料を竪型チューブ１内壁面に対しスプレーにより供給するよう竪型チューブ１内に配設したスプレーノズル、ｅはそのノズルｄから竪型チューブ１の内壁面に供給されて、凍結しきれずに流下する未凍液を回収する回収ライン、ｆは竪型チューブ１の内壁面１０への液材料の凍結行程が終えて、中空パイプ状に凍結した液材料の凍結層を、真空下において、昇華熱の供給により真空乾燥させるときに、昇華してくる水蒸気を引き出すよう気密室１ａに設けた真空引口、ｇはこの真空引口ｆにバルブｈを介して接続するトラップ室、ｉはトラップ室ｇ内に設けた水蒸気を捕集するトラップ、ｊは凍結層の乾燥行程を終えて、竪型チューブ１の下方に接続する管路ｋに落下させる乾燥した凍結層を粉砕する粉砕装置で、微粉砕器６０とサイクロン６１とバッグフィルタ６２とを具備する。
【００２０】
ｖ１は、給液ラインｃの、第１タンクａおよび第２タンクｂに対する接続状態を交互に切り替えるよう給液ラインｃに設けた切替バルブ、ｖ２は回収ラインｅの第１タンクａおよび第２タンクｂに対する接続を交互に切り替えるための切替バルブ、ｖ３は常時は閉弁状態に保持せしめておいて、乾燥行程を終えて乾燥した凍結層を粉砕処理するときに、竪型チューブ１の下方の管路ｋが粉砕装置ｊに連通するよう開弁状態に切り替わるバルブ、ｖ４は、常態において開弁状態に保持せしめておいて、乾燥し終えた液材料を竪型チューブ１内から落下させて粉砕処理するときに閉弁状態とするように回収ラインｅに設けておくバルブである。
【００２１】
竪型チューブ１は、ステンレスの金属材により軸線方向を鉛直方向としたシリンダ状に成形し、周囲を図４にあるように、熱媒流体を循環させるジャケット１２で囲い、そのジャケット１２内に循環させる熱媒流体の温度制御により、内壁面１０の温度が所望に制御されるようにしておく。
【００２２】
この竪型チューブ１の内壁面１０に凍結させる液材料の供給は、竪型チューブ１の上部乃至内腔に配設しておくスプレーノズルｄによる散布により行う。
【００２３】
このスプレーノズルｄは、液材料を竪型チューブ１の内壁面１０に凍結させる際、それに先立ち、内壁面１０に精製水を散布して薄い氷膜を形成し、その氷膜上に液材料を凍結させるようにする場合には、ｋの氷膜形成用に設けるスプレーノズルｄを用い、さらに、精製水の収容しておくタンクおよび給水ラインも、液材料を貯溜せしめておくタンクおよび給水ラインｃを共用するようにしてよい。
【００２４】
しかして、スプレーノズルｄは、図４に示す実施例においては、竪型チューブ１の上端側に拡径する拡径筒部状の気密室１ａを接続して、それの内腔の中心部位にスプレーノズルｄを配設し、かつ、この気密室１ａの筒壁の下端側を下降側に向け次第に縮径する傾斜壁１３に形成して、この傾斜壁１３の下端縁を竪型チューブ１の周壁の上端縁に連続させておき、スプレーノズルｄから散布される液材料が、この傾斜壁１３をつたって竪型チューブ１の内壁面１０およびその内壁面１０に凍結した液材料の凍結層の表面に流れ込むようにしている。
【００２５】
このスプレーノズルｄにより竪型チューブ１の内壁面１０に供給する液材料は、原材料から調整装置により調整して、竪型チューブ１内に中空パイプ状に凍結させるのに対応する所定量に計量し、これを、タンクに一時貯溜し、そのタンクからエアーの加圧による圧送で給液ラインｃを経てスプレーノズルｄに導き、そのスプレーノズルｄで散布するようにするが、その散布は、ジャケット１２内の熱媒流体により凍結温度に保持されている竪型チューブ１の内壁面１０乃至それの凍結した液材料の凍結層に接触したときに、凍結しきれないで流下していく未凍部分が生ずる程度の量として散布するようにする。
【００２６】
そして、この未凍のまま竪型チューブ１の内部を下方に流過する散布した液材料の未凍部分は、竪型チューブ１の下方に接続する管路ｋに形成する液溜まりに集め、そこから回収ラインｅを介してタンクに戻し、再び竪型チューブ１に対し供給するようにすることから、タンクには、給液ラインｃを介してスプレーノズルｄに液材料を供給するための供給用タンクとなる第１タンクａと、回収ラインｅを介して回収する液材料の未凍部を一時貯溜させるための回収タンクとなる第２タンクｂとの少なくとも２つのタンクを用意する。
【００２７】
そして、これら第１・第２のタンクａ・ｂは、それらを、給液ラインｃおよび回収ラインｅに対して、交互に切り替わって接続するよう切替バルブｖ１・ｖ２を介して接続しておき、第１タンクａに投入した液材料を、その第１タンクａから給液ラインｃを経てスプレーノズルｄに送給して竪型チューブ１に対し散布し、それにより未凍のまま竪型チューブ１内を流過する液材料の未凍部を、回収ラインｅを介して第２タンクｂに回収している状態において、第１タンクａ内に投入した液材料の液量が空になったときに、切替バルブｖ１・ｖ２を切り替えて、第１タンクａが回収ラインｅに接続し、第２タンクｂが給液ラインｃに接続する状態とし、これにより、第２タンクｂがそれに回収した未凍の液材料を給液ラインｃを経てスプレーノズルｄに送り出す供給タンクとなり、第１タンクａが未凍のまま竪型チューブ１内を流過する液材料を回収ラインｅを介し回収する回収タンクの役割を果たすようにし、さらに、この第２タンクｂ内の液材料の液量が空になったとき、再び切替バルブｖ１・ｖ２の切り替え作動で、第１タンクａと第２タンクｂの役割の入れ換えが行えるようにする。
【００２８】
このときの、第１タンクａおよび第２タンクｂ内の液材料の液量が空になったときの検出は、図５示している例の如く、第１・第２の各タンクａ・ｂの底部に接続する排出管７０・７０に、液量の有無を確認する液量センサｓ１・ｓ２を、それら排出管７０・７０の給液ラインｃに対する接続をオン・オフするドレン弁ｖ５・ｖ６の上流側に設けておいて、この液量センサｓ１・ｓ２の検出作動で行うようにしてよい。
【００２９】
この図５に示す実施例においては、第１タンクａの排出管７０に設けた液量センサｓ１が液量無しを検出したときに、その排出管７０に設けたドレン弁ｖ５が閉じて第２タンクｂの排出管７０に設けたドレン弁ｖ６を開として、給液ラインｃに第２タンクｂが接続し、同時に、第１タンクａの上部の給液管７１に設けた給液弁ｖ７およびベント弁ｖ１４が開き、第２タンクｂの上部の給液管７１に設けた給液弁ｖ８およびベント弁ｖ１４が閉となって、回収ラインｅが第１タンクａに接続する状態に切り替わり、また、第２タンクｂの排出管７０に設けた液量センサｓ２が液量無しを検出したときに、その排出管７０に設けたドレン弁ｖ６を閉じ、第１タンクａの排出管７０に設けたドレン弁ｖ５を開いて、給液ラインｃに第１タンクａが接続し、同時に、第２タンクｂの給液弁ｖ８およびベント弁ｖ１４が開き、第１タンクａの給液弁ｖ７およびベント弁ｖ１４が閉じて回収ラインｅが第２タンクｂに接続する状態に切り替わるように制御せしめている。
【００３０】
給液ラインｃを介してスプレーノズルｄからの散布により、竪型チューブ１の内壁面１０に対し液材料を供給したときに、未凍のまま竪型チューブ１内を流過する液材料の、回収ラインｅにより回収タンクとする第１・第２タンクａ・ｂの何れかへの回収は、この流過する未凍液を、竪型チューブ１の下端側に接続する管路ｋに適宜形成しておく液溜まりに集め、それを、エアーによる圧送またはポンプ装置によるポンプアップにより、回収ラインｅを介し回収タンクとする第１・第２タンクａ・ｂに送り上げるようにしてよいが、液材料が、ポンプ類の回転部分との接触を嫌う薬品である場合には、エアーの圧送により行うようにする。
【００３１】
この回収ラインｅにより第１・第２タンクａ・ｂに回収される未凍液は、前述した如く、竪型チューブ  の内壁面１０にスプレーノズルｄから液材料をスプレーして凍結させていく凍結行程の進行に伴い行う第１タンクａおよび第２タンクｂの、給液ラインｃおよび回収ラインｅへの接続を交互に切り替える度ごとに、次第にその量が減少してくる。
【００３２】
そして、その量が、エアーによる圧送、またはポンプアップによる揚送ができなくなるまで低下してきたときに、管路ｋおよび回収ラインｅに残る液材料は、第１・第２タンクａ・ｂの何れにも回収できないことで竪型チューブ１内に凍結させ得ないことから、廃棄する他はなく、これが損失となる。
【００３３】
この最後に管路ｋよび回収ラインｅに残る液材料の量を少なくするために、図６に示している実施例においては、管路ｋに接続させる回収ラインｅを、それぞれが、バルブｖ９・ｖ１０を介して管路ｋに接続する大径のラインｅ１と小径のラインｅ２とに分け、かつ、これらラインｅ１・ｅ２による液材料の揚送をエアーによる圧送で行うようにしておいて、竪型チューブ１内を流過してくる未凍液の量が多いときには、大径のラインｅ１と小径のラインｅ２のバルブｖ９・ｖ１０を開いて、両方のラインｅ１・ｅ２で未凍液を圧送し、未凍液の量が少なくなってきたときには、大径のラインｅ１のバルブｖ９を閉じて、小径のラインｅ２だけで未凍液の圧送を行うようにしておくことで、この小径のラインｅ２による液材料の圧送が不能となってきたときに残る未凍液の量を極く少なくし得るようにしている。
【００３４】
即ち、この実施例では、竪型チューブ１の下端部に、接続鍔８０を組み付けて、それの下面側に、凍結した液材料の凍結層を粗粉砕するためのジェットノズル８１を組み込んだノズル付きフランジ８２を接合して組み付け、これの下面側に、ロート状の受け８３を具備する管路ｋを接続して設け、その管路ｋの、チューブボトム弁ｖ１１を介して粉砕装置ｊに接続するエルボ状の屈曲部の終端で、前記チューブボトム弁ｖ１１の手前の位置に、竪型チューブ１の内腔を流過して管路ｋに流下してくる未凍液を排出する排出管８４を設けて、これに、略水平な液溜部Ｌを、常時は開放しておき凍結し終えた液材料を凍結乾燥する乾燥工程時に閉めておく底弁ｖ１２を介して接続し、この液溜部Ｌの下流側に、回収ラインｅの大径のラインｅ１と小径のラインｅ２とを、それぞれバルブｖ９・ｖ１０を介して接続しておき、流下してくる未凍液を、竪型チューブ１の上部側に接続しておくチューブ加圧弁ｖ１３により竪型チューブ１内に与えておくエアーの圧力で、この大径のラインｅ１および小径のラインｅ２に押し上げ、それらが接続するタンクに流入させるようにしている。
【００３５】
このとき、第１・第２の各タンクａ・ｂには、ベント弁ｖ１４を設けておき、回収ラインｅに接続させた側のタンクのベント弁ｖ１４を開放して、タンク内を大気に開放しておくことで、未凍液は、加圧弁ｖ１３から竪型チューブ１内に与えられている圧力と大気開放のタンク内の圧力との圧力差によりタンク内に押し上げられる。
【００３６】
このエアーによる未凍液の押し上げは、液溜管である液溜部Ｌ内に未凍液が満たされているときは、未凍液だけが、大径のラインｅ１および小径のラインｅ２を圧送されるようになるが、液量が少なくなってくると、エアーの一部が、未凍液を巻き込むように吹き上げられ、液を泡状にして押し上げていくようになり、同時に、竪型チューブ１内のエアーの圧力は低下してくる。
【００３７】
竪型チューブ１またはこれに接続する管路ｋの適宜位置に、この竪型チューブ１内または管路ｋ内の圧力を検出する圧力センサ（図示省略）を設けて、この圧力センサが、設定した一定の圧力以上の圧力を検出したときに、大径のラインｅ１のバルブｖ９を閉弁させるようにこの圧力センサによりバルブｖ９を制御させておき、これにより、液溜部の未凍液の量が少なくなってきたときは、小径のラインｅ２だけで液の押し上げを行わすようにし、これにより、液溜部に溜まる未凍液の量が増え、再び竪型チューブ１内の圧力が上昇してくれば、大径のラインｅ１のバルブｖ９が開弁し、大径のラインｅ１と小径のラインｅ２の両方で未凍液をタンクに押し上げていくようにし、この繰り返しで未凍液のタンクへの回収を行わせる。
【００３８】
これによって、このエアーの圧送による未凍液のタンクへの回収は、最終的には、小径のラインｅ２の上流側の部位に数ｃｃの未凍液を残すまで行われ、凍結させ得ないことで廃棄するようになる未凍液の量を極く少なくし得るようになる。
【００３９】
次に、図７は、上述の如く、未凍液を回収ラインｅでタンクａ・ｂに回収するのに、エアーの圧送により未凍液を回収ラインｅに押し上げていくようにしたとき、タンクａ・ｂに戻された未凍液に、エアーによる圧送の際に未凍液中に包含されるようになる気泡によって、泡立ちが生ずるようになるのを防止するための手段を示している。
【００４０】
同図において、９は、第１・第２の各タンクａ・ｂ内に挿し込んで、そのタンクａ・ｂ内の一隅に寄せた部位に配設した泡立ち防止管で、タンクの上部から上方に突出する上端側は、未凍液の回収ラインｅの下流側に接続連通し、下端側は、それの開口９０を、タンクａ・ｂのロート状をなす底部の傾斜壁７２の内壁面と平行して対向するようにし、かつ、管壁には、タンクａ・ｂの内壁面に向けて、側枝管状に突出するエアーの吐出管９１…を上下に多段に並列させて設け、それら各吐出管９１の開口９１０…を、タンクａ・ｂの機壁７３の内壁面に接近する位置に開放させてある。
【００４１】
これにより、回収ラインｅをエアーの圧送によって揚送されてくる未凍液は、タンクａ・ｂ内に放流されるときに、この泡立ち防止管９を経て、それの下端の開口９０からタンクａ・ｂの底部の傾斜壁７２に当たるように放出されることで、タンクａ・ｂ内の未凍液に衝激を与えることなく放流され、また、未凍液中に含まれる気泡が、泡立ち防止管９内を流下する未凍液から分離して、側枝状に設けたエアーの吐出管９１…から吐出するようになり、未凍液中のエアーを逃すようになるので、タンクａ・ｂ内に回収した未凍液に泡立ちが生ずるようになるのを防止し得るようになる。
【００４２】
このように本発明手段は、竪型チューブ１の内壁面１０に液状の被乾燥材料を中空パイプ状に凍結させて、それを真空下において凍結乾燥させる凍結乾燥手段において、竪型チューブ１の内壁面１０に液材料を中空パイプ状に凍結させるのに、液材料の竪型チューブ１に対する供給は、調整そしてタンクに収蔵せしめた液材料を、給液ラインｃにより竪型チューブ１の上方乃至内腔に配設したスプレーノズルｄに導いて、そのスプレーノズルｄよりの散布により行って、竪型チューブ１の内壁面１０に凍結しきれない未凍液が流下していくようにする。
【００４３】
そして、液材料を貯溜せしめるタンクは少なくとも２つ以上を用意しておいて、未凍のまま竪型チューブ１内を流過する液材料を回収ラインｅにより別のタンクに回収していき、液材料を収蔵せしめたタンクが空になったときに、給液ラインｃと回収ラインｅのタンクに対する接続を入れ換えて、未凍液を回収したタンクからその未凍液をスプレーノズルｄに供給し、竪型チューブ１内を流下する未凍液を空になったタンクに回収し、これを繰り返すことで、竪型チューブ１の内壁面に液材料を中パイプ状に凍結させるようにすることから、タンクに収蔵せしめる液材料の量を竪型チューブ１の内壁面１０に中空パイプ状に凍結させる量と対応させておくことで、凍結を終えたときに抜き出す未凍液の量を著しく少なくし得るようになる。
【００４４】
【発明の効果】
以上説明したように本発明手段によれば、竪型チューブ１の内壁面１０に液材料を中空パイプ状に凍結させるのが、所定の厚さの凍結層に凍結させたときに抜き出して廃棄するようになる未凍液の量を少なくし得る。
【図面の簡単な説明】
【図１】従前の凍結乾燥装置の縦断面図である。
【図２】同上の部分の横断面図である。
【図３】本発明手段を実施せる凍結乾燥装置の全体の概要展開図である。
【図４】同上の竪型チューブ部分の一部破断した正面図である。
【図５】同上のタンク部分の一部破断した正面図である。
【図６】同上の別の実施例の要部の一部破断した正面図である。
【図７】同上のさらに別の実施例のタンクの一部破断した正面図である。
【符号の説明】
Ａ…真空凍結乾燥装置、ａ…第１タンク、ｂ…第２タンク、ｃ…給液ライン、ｄ…スプレーノズル、ｅ…回収ライン、ｅ１…大径の回収ライン、ｅ２…小径の回収ライン、ｆ…真空引口、ｇ…トラップ室、ｈ…バルブ、ｉ…トラップ、ｊ…粉砕装置、ｋ…管路、Ｌ…貯溜部、ｓ１・ｓ２…液量センサ、ｖ１・ｖ２…切替バルブ、ｖ３・ｖ４…バルブ、ｖ５・ｖ６…ドレン弁、ｖ７・ｖ８…給液弁、ｖ９ｖ・ｖ１０…バルブ、ｖ１１…チューブボトム弁、ｖ１２…底弁、ｖ１３…チューブ加圧弁、ｖ１４…ベント弁、１…竪型チューブ、１ａ…気密室、１０…内壁面、１１…供給管、１２…ジャケット、１３…傾斜壁、２…竪型筒状体、２０…筒壁、２１…ブラインノズル、２２…排出管、３…トラップ室、３０…トラップ（蒸気凝結器）、４…機壁、５…扉、５０…ヒンジ、５１…流路、６０…微粉砕器、６１…サイクロン、６２…バッグフィルタ、７…排出管、７１…給液管、７２…傾斜壁、７３…機壁、８０…接続鍔、８１…ジェットノズル、８２…フランジ、８３…ロート状の受け、８４…排出管、９…泡立ち防止管、９０…開口、９１…エアー吐出管、９１０…開口。
【図１】
2004330130.tif 000003
【図２】
2004330130.tif 000004
【図３】
2004330130.tif 000005
【図４】
2004330130.tif 000006
【図５】
2004330130.tif 000007
【図６】
2004330130.tif 000008
【図７】
2004330130.tif 000009